(57)【要約】【課題】部品点数が多くなることを抑制しつつ大型化を抑制することができる画像記録装置を提供する。【解決手段】複合機１０は、筐体１４と、筐体１４の内部空間１６に位置しており、用紙１５を収容する収容部３１と、内部空間１６に形成されており、収容部３１から筐体１４の前面７１に形成された排出口２１へ反転することなく延びており、用紙１５が通過する搬送路３８と、内部空間１６において収容部３１に対して前方にオフセットした位置にあり、搬送路３８に位置する用紙１５に画像を記録する記録部３６と、収容部３１の上方に形成されており、収容部３１における用紙１５の収容空間８９を筐体１４の外部に露出可能な開口４０と、開口４０を筐体１４の外部に露出させる露出位置及び開口４０を閉塞する被覆位置へ回動可能に筐体１４によって支持された開閉壁８２と、を備える。【選択図】図３
2020189734.tif 000002
【特許請求の範囲】
【請求項１】
筐体と、
上記筐体の内部に位置しており、シートを収容する収容部と、
上記筐体の内部に形成されており、上記収容部から上記筐体の外面に形成された排出口へ反転することなく延びており、シートが通過する搬送路と、
上記筐体の内部において上記収容部に対して水平方向にオフセットした位置にあり、上記搬送路に位置するシートに画像を記録する記録部と、
上記収容部の上方に形成されており、上記収容部におけるシートの収容空間を上記筐体の外部に露出可能な第１開口と、
上記第１開口を上記筐体の外部に露出させる第１位置及び上記第１開口を閉塞する第２位置へ移動可能に上記筐体によって支持された第１開閉壁と、を備える画像記録装置。
【請求項２】
上記第１開閉壁は、上記筐体に対して着脱されることによって上記第１位置及び上記第２位置へ移動する請求項１に記載の画像記録装置。
【請求項３】
上記第１開閉壁は、スライドすることによって上記第１位置及び上記第２位置へ移動する請求項１に記載の画像記録装置。
【請求項４】
上記第１位置の上記第１開閉壁は、上記第２位置の上記第１開閉壁に対して水平方向及び上方向にオフセットされた位置にある請求項１または３に記載の画像記録装置。
【請求項５】
上記筐体の側面に形成されており、上記収容空間を上記筐体の外部に露出可能な第２開口と、
上記第２開口を開放する第３位置及び上記第２開口を閉塞する第４位置へ移動可能に上記筐体によって支持された第２開閉壁と、を備える請求項１から４のいずれかに記載の画像記録装置。
【請求項６】
上記第１開閉壁が上記第１位置且つ上記第２開閉壁が上記第３位置のとき、上記第１開口及び上記第２開口は連続している請求項５に記載の画像記録装置。
【請求項７】
上記収容部は、上記筐体に固定されている請求項１から６のいずれかに記載の画像記録装置。
【請求項８】
上記第１開閉壁が上記第１位置のとき、上記第１開口に加えて、平面視において上記第１開口と連続しており且つ上記第１開口と上記排出口の間にある所定空間が上記筐体の外部に露出される請求項１から７のいずれかに記載の画像記録装置。
【請求項９】
上記所定空間に位置しており、上記収容部に収容されたシートを上記搬送路へ給送する給送部を備え、
上記所定空間は、上記給送部よりもシートの給送向きの下流にまで拡がっている請求項８に記載の画像記録装置。
【請求項１０】
上記所定空間に配置された部材の少なくとも一部を覆うカバーを備える請求項８または９に記載の画像記録装置。
【請求項１１】
上記収容部に収容されたシートを上記搬送路へ給送する給送部と、
上記収容部と上記搬送路の境界部に位置しており、上記収容部から上記搬送路へ向かうにしたがって上方へ向かう傾斜壁と、
上記傾斜壁に設けられており、上記給送部によって給送されるシートのうち最上のシートを他のシートから分離する分離部と、を備える請求項１から１０のいずれかに記載の画像記録装置。
【請求項１２】
上記搬送路上のシートの搬送方向に沿った上記収容部の長さは、上記搬送方向及び上下方向と直交する幅方向に沿った上記収容部の長さより短い請求項１から１１のいずれかに記載の画像記録装置。
【請求項１３】
上記第１開閉壁は、上記搬送路上のシートの搬送方向及び上下方向と直交する幅方向における上記筐体の一端から他端に亘っている請求項１から１２のいずれかに記載の画像記録装置。
【発明の詳細な説明】
【技術分野】
【０００１】
本発明は、シートに画像を記録する画像記録装置に関する。
【背景技術】
【０００２】
画像記録装置の多くは、特許文献１に開示されているように、下部にシートの収容部が位置しており、収容部の直上にシートに画像を記録する記録部が位置している。記録部は、例えば、特許文献１に開示されたインクジェット方式のプリンタの場合はノズルを備えたヘッド、電子写真方式のプリンタの場合はトナーカートリッジ、ドラムユニット、及び定着器である。
【先行技術文献】
【特許文献】
【０００３】
【特許文献１】特開２０１５−１２４０７９号公報
【発明の概要】
【発明が解決しようとする課題】
【０００４】
上述したように、従来の画像記録装置では、下から順に、シートの収容部、記録部が設けられている。そのため、複合機の上下のサイズが大きくなってしまう。
【０００５】
また、従来の画像記録装置では、収容部の上に記録部が設けられているため、収容部に対してシートを出し入れするためには、収容部を移動させて画像記録装置の筐体から引き出す動作が必要であった。そのため、収容部の移動のための機構を画像記録装置に設ける必要があるため、当該機構の分だけ部品点数が多くなっていた。
【０００６】
本発明は、前述された事情に鑑みてなされたものであり、その目的は、部品点数が多くなることを抑制しつつ大型化を抑制することができる画像記録装置を提供することにある。
【課題を解決するための手段】
【０００７】
(1)  本発明に係る画像記録装置は、筐体と、上記筐体の内部に位置しており、シートを収容する収容部と、上記筐体の内部に形成されており、上記収容部から上記筐体の外面に形成された排出口へ反転することなく延びており、シートが通過する搬送路と、上記筐体の内部において上記収容部に対して水平方向にオフセットした位置にあり、上記搬送路に位置するシートに画像を記録する記録部と、上記収容部の上方に形成されており、上記収容部におけるシートの収容空間を上記筐体の外部に露出可能な第１開口と、上記第１開口を上記筐体の外部に露出させる第１位置及び上記第１開口を閉塞する第２位置へ移動可能に上記筐体によって支持された第１開閉壁と、を備える。
【０００８】
収容部と記録部が互いに水平方向にオフセットした位置に設けられているため、収容部の上に記録部が位置する構成に比べて画像記録装置の高さを抑えることができる。
【０００９】
第１開閉壁を第１位置に移動させることによって、第１開口を通じて収容部に収容されたシートを出し入れすることができる。そのため、収容部の移動のための機構を画像記録装置に設ける必要がないため、画像記録装置の部品点数の増加を抑制することができる。
【発明の効果】
【００１０】
本発明によれば、部品点数が多くなることを抑制しつつ大型化を抑制することができる。
【図面の簡単な説明】
【００１１】
【図１】図１は、複合機１０の斜視図である。
【図２】図２は、複合機１０の内部構造を模式的に示す縦断面図であり、開閉壁８２が被覆位置、開閉壁８７が起立位置、カバー８５が閉位置の状態が示されている。
【図３】図３は、複合機１０の内部構造を模式的に示す縦断面図であり、開閉壁８２が露出位置、開閉壁８７が起立位置、カバー８５が閉位置の状態が示されている。
【図４】図４は、複合機１０の内部構造を模式的に示す縦断面図であり、開閉壁８２が被覆位置、開閉壁８７が起立位置、カバー８５が開位置の状態が示されている。
【図５】図５は、複合機１０の内部構造を模式的に示す縦断面図であり、開閉壁８２が被覆位置、開閉壁８７が倒伏位置、カバー８５が閉位置の状態が示されている。
【図６】図６は、複合機１０の内部構造を模式的に示す縦断面図であり、開閉壁８２が露出位置、開閉壁８７が倒伏位置、カバー８５が閉位置の状態が示されている。
【図７】図７は、開閉壁８２が着脱可能に構成された複合機１０の内部構造を模式的に示す縦断面図である。
【図８】図８は、開閉壁８２がスライド可能に構成された複合機１０の内部構造を模式的に示す縦断面図である。
【図９】図９は、連結部材９２を備えた複合機１０の内部構造を模式的に示す縦断面図である。
【図１０】図１０は、カバー９７を備えた複合機１０の内部構造を模式的に示す縦断面図である。
【図１１】図１１は、トレイ９８を備えた複合機１０の内部構造を模式的に示す縦断面図である。
【図１２】図１２は、プリンタ１００の内部構造を模式的に示す縦断面図である。
【発明を実施するための形態】
【００１２】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、排出口２１が設けられている面を前面７１として前後方向８が定義され、複合機１０を前方から視て左右方向９（幅方向の一例）が定義される。上下方向７、前後方向８、及び左右方向９は互いに直交している。本実施形態において、上下方向７は鉛直方向であり、前後方向８及び左右方向９は水平方向である。
【００１３】
複合機１０（画像記録装置の一例）は、用紙１５（シートの一例、図２参照）に画像を記録する機能と、用紙１７（図４参照）上の画像を読み取る機能とを有している。図１及び図２に示されるように、複合機１０は、筐体１４を備えている。筐体１４は、概ね直方体の箱形状である。筐体１４の前後方向８及び左右方向９の長さは、筐体１４の上下方向７の長さより長い。筐体１４の前後方向８の長さは、筐体１４の左右方向９の長さより短い。なお、筐体１４の各方向の長短関係は、前記の関係に限らない。例えば、筐体１４の左右方向９の長さが、筐体１４の前後方向８の長さより短くてもよい。
【００１４】
筐体１４の外面は、前面７１、後面７２、上面７３、下面７４、右面７５、及び左面７６を備えている。前面７１、後面７２、右面７５、及び左面７６は、側面の一例である。
【００１５】
前面７１には、排出口２１が形成されている。筐体１４の内部空間１６において画像を記録された用紙１５または画像を読み取られた用紙１７が、排出口２１を通じて筐体１４の外部へ排出される。
【００１６】
図１に示されるように、前面７１には、複合機１０を起動・停止させる電源スイッチ１８や、各種ＬＥＤ１９などが設けられている。
【００１７】
筐体１４の上面７３は、筐体１４の上壁８１の上面と、筐体１４の開閉壁８２（第１開閉壁の一例）の上面とによって構成されている。上壁８１は、筐体１４の前上部を構成する壁である。開閉壁８２は、筐体１４の後上部を構成する壁である。本実施形態において、開閉壁８２は筐体１４の右端から左端に亘って設けられているが、開閉壁８２は筐体１４の右端から左端に亘っていなくてもよい。
【００１８】
図２に示されるように、開閉壁８２は、上壁８１によって回動可能に支持されている。開閉壁８２は、その後端部に設けられた左右方向９に延びる軸８３を中心として、図１及び図２に示される被覆位置（第２位置の一例）と、図３に示される露出位置（第１位置の一例）とに回動可能である。図２に示されるように、開閉壁８２が被覆位置のとき、後述する収容部３１は上方から開閉壁８２に覆われている。図３に示されるように、開閉壁８２が露出位置のとき、収容部３１は筐体１４の上方から外部へ露出されている。
【００１９】
図１及び図２に示されるように、筐体１４の上面７３（本実施形態では開閉壁８２の上面）に、開口８４が形成されている。なお、開口８４は、開閉壁８２の上面ではない上壁８１の上面７３に形成されていてもよい。開口８４は、後述する搬送路３９と連通している。用紙１７が、開口８４を通じて搬送路３９へ挿入される（図４参照）。開口８４は、用紙１７が挿入可能なように、用紙１７に合わせて左右方向９に長く形成されている。
【００２０】
カバー８５が、開閉壁８２によって回動可能に支持されている。カバー８５は、その後端部に設けられた左右方向９に延びる軸８６を中心として、図２に示される閉位置と、図４に示される開位置とに回動可能である。図２に示されるように、カバー８５が閉位置のとき、開口８４は閉塞されている。図４に示されるように、カバー８５が開位置のとき、開口８４は開放されている。
【００２１】
カバー８５が閉位置のときに、カバー８５の外面のうち上方を向く面８５１は、開閉壁８２の上面７３と面一である。なお、カバー８５が閉位置のとき、面８５１は、開閉壁８２の上面７３と面一でなくてもよいが、面８５１は上面７３より下方に位置している（つまり、上面７３より上方へ突出していない）ことが好ましい。
【００２２】
図４に示されるように、カバー８５が開位置のときに、カバー８５の外面のうち前方を向く面８５２は、下方へ向かうにしたがって前方へ向かって（つまり排出口２１へ向かって）延びている。つまり、開位置のカバー８５の面８５２は、その上端から前方斜め下方へ延びている。開位置のカバー８５の面８５２は、開口８４へ挿入される用紙１７と当接可能である。
【００２３】
なお、カバー８５は、その上端から前方斜め下方以外へ延びていてもよい。また、複合機１０は、カバー８５を備えていなくてもよい。
【００２４】
図２に示されるように、筐体１４の後面７２には、開閉壁８７（第２開閉壁の一例）が設けられている。開閉壁８７は、筐体１４の他の部分によって回動可能に支持されている。開閉壁８７は、その下端部に設けられた左右方向９に延びる軸８８を中心として、図２に示される起立位置（第４位置の一例）と、図５に示される倒伏位置（第３位置の一例）とに回動可能である。
【００２５】
図２に示されるように、開閉壁８７が起立位置のとき、収容部３１は後方から開閉壁８７に覆われている。図５に示されるように、開閉壁８７が倒伏位置のとき、収容部３１は筐体１４の後方から外部に露出されている。
【００２６】
なお、複合機１０は、開閉壁８７を備えていなくてもよい。つまり、筐体１４の後面７２は、開閉可能でなくてもよい。この場合、後述する開口４２が後面７２に形成されないことは言うまでもない。
【００２７】
筐体１４は、内部空間１６を有している。内部空間１６は、筐体１４の内面によって区画されている。筐体１４の内部空間１６に、収容部３１、給送部３３、搬送ローラ対３４、排出ローラ対３５、記録部３６、プラテン２７、及び読取部３７が配置されている。筐体１４の内部空間１６に、搬送路３８、３９が形成されている。
【００２８】
収容部３１は、上方に開放された箱形状である。収容部３１の前後方向８及び左右方向９の長さは、収容部３１の上下方向７の長さより長い。収容部３１の前後方向８の長さは、収容部３１の左右方向９の長さより短い。なお、収容部３１の各方向の長短関係は、前記の関係に限らない。例えば、収容部３１の左右方向９の長さが、収容部３１の前後方向８の長さより短くてもよい。
【００２９】
収容部３１は、用紙１５の収容空間８９を有している。収容部３１は、筐体１４に固定されている。収容空間８９は、底面７７、開閉壁８７の前面、筐体１４の右内面７８、筐体１４の左内面（右内面７８と左右に対向する面、不図示）、及び傾斜壁３２によって区画されている。収容部３１は、その内部に用紙１５を上下に重ねて収容可能である。
【００３０】
図３に示されるように、開閉壁８２が露出位置のとき、収容空間８９が開口４０（第１開口の一例）を通じて筐体１４の外部に露出される。これにより、用紙１５が、収容部３１の上方から開口４０を通じて収容部３１に対して出し入れ可能となる。開口４０は、収容部３１における上方に開放された部分のうち、他の部材（本実施形態では、給送部３３）が配置されていない部分である。具体的には、図２において、収容部３１における上方に開放された部分のうち、破線で示された前後の位置Ｐ１よりも後方の部分である。
【００３１】
図２に示されるように、開閉壁８２が被覆位置のとき、収容空間８９及び開口４０は上方から開閉壁８２に覆われて筐体１４の外部に対して閉塞されている。つまり、開閉壁８２は、開口４０を開閉可能である。
【００３２】
図５に示されるように、開閉壁８７が倒伏位置のとき、収容空間８９が後面７２に形成された開口４２（第２開口の一例）を通じて筐体１４の外部に露出される。これにより、収容部３１は、底面７７よりも前後に長い用紙１５の前部のみを底面７７に支持させて、当該用紙１５の後部を筐体１４の外部に位置させることができる。その結果、底面７７よりも前後に長い用紙１５が収容部３１から搬送路３８へ給送可能となり、当該用紙１５に画像を記録することが可能となる。
【００３３】
なお、本実施形態では、開閉壁８７が起立位置のとき、開閉壁８７の後面が、筐体１４の後面７２に相当する。開閉壁８７が倒伏位置のとき、筐体１４を後方から視て開口４２を区画している面が、筐体１４の後面７２に相当する。
【００３４】
図２に示されるように、開閉壁８７が起立位置のとき、収容空間８９及び開口４２は後方から開閉壁８７に覆われて筐体１４の外部に対して閉塞されている。
【００３５】
図６に示されるように、開閉壁８２が露出位置且つ開閉壁８７が倒伏位置のとき、開口４０は、開口４２と連続している。なお、開口４０は、開口４２と連続していなくてもよい。
【００３６】
図２に示されるように、傾斜壁３２は、収容部３１の前端部に位置している。換言すると、傾斜壁３２は、収容部３１と搬送路３８の境界部に位置している。傾斜壁３２は、底面７７から上方へ突出している。傾斜壁３２は、上方へ向かうにしたがって前方へ向かって延びている。つまり、傾斜壁３２は、上下方向７に対して傾斜している。
【００３７】
傾斜壁３２には、分離部が設けられている。本実施形態において、分離部は、傾斜壁３２の後面９０における左右方向９の中央部から突出した分離片９１である。分離片９１は、上下に間隔を空けて複数設けられている。なお、分離部は、上述した構成に限らない。例えば、複数の分離片９１の代わりに摩擦係数が後面９０よりも高い部材（例えばコルク）が配置されてもよい。
【００３８】
給送部３３は、底面７７の上方の所定空間４１に位置している。所定空間４１は、複合機１０を上方から見た平面視において、開口４０の前方に位置しており且つ開口４０と連続した空間である。つまり、所定空間４１は、前後方向８において、開口４０と排出口２１の間に位置している。所定空間４１は、給送部３３より前方（用紙１５が給送される給送向きの下流）にまで拡がっている。つまり、給送部３３の全体が所定空間４１に位置している。図３に示されるように、開閉壁８２が露出位置のとき、開口４０に加えて所定空間４１が筐体１４の外部に露出される。このとき、給送部３３より前方の空間まで露出されるため、ユーザは上方から所定空間４１における給送部３３より前方の空間にアクセスすることができる。
【００３９】
読取部３７の後部も、所定空間４１に位置している。
【００４０】
なお、開閉壁８２が露出位置のときに、給送部３３は、読取部３７と同様に、全体ではなく一部のみが筐体１４の外部に露出していてもよい。例えば、開閉壁８２が露出位置のときに、給送部３３のうち給送ローラ２５の後方を向く面が筐体１４の外部に露出する一方で、給送部３３のうち給送ローラ２５の前方を向く面が筐体１４の外部に露出しなくてもよい。つまり、給送ローラ２５の前方を向く面は、開閉壁８２の位置にかかわらず、筐体１４によって被覆されていてもよい。また、例えば、開閉壁８２の位置にかかわらず、給送部３３の全体が、筐体１４によって被覆されていてもよい。
【００４１】
また、読取部３７の全体が、所定空間４１に位置していてもよい。また、給送部３３及び読取部３７以外の部材が、所定空間４１に位置していてもよい。
【００４２】
図２に示されるように、給送部３３は、給送ローラ２５、給送アーム２６、及び軸２８を備えている。給送ローラ２５は、給送アーム２６の先端部で回転可能に支持されている。給送アーム２６は、基端部に設けられた軸２８を中心として回動する。これにより、給送ローラ２５は、底面７７または底面７７に支持された用紙１５に対して、当接及び離間が可能である。
【００４３】
給送ローラ２５は、給送用モータ（不図示）の駆動力が伝達されて回転する。これにより、底面７７に支持された複数の用紙１５が前方へ送られる。前方へ送られた複数の用紙１５は、分離片９１に当接する。これにより、複数の用紙１５のうちの最上の用紙１５が他の用紙１５から分離されて傾斜壁３２の後面９０に沿って搬送路３８へ給送される。
【００４４】
搬送路３８は、筐体１４の内部空間１６に配置された不図示のガイド部材、搬送ローラ対３４、排出ローラ対３５、記録部３６、及びプラテン２７によって区画された空間である。搬送路３８は、給送部３３によって給送された用紙１５が通過する経路である。搬送路３８は、収容部３１の前端（換言すると、傾斜壁３２の上端）から反転することなく前方へ延びて排出口２１へ至っている。
【００４５】
搬送路３８は反転することなく延びていればよい。つまり、搬送路３８は、図２のような真っ直ぐ前方へ延びた経路に限らない。例えば、搬送路３８は、前方へ向かうにしたがって上方へ向かって延びていてもよい。この場合、排出口２１は、前面７１ではなく上面７３に設けられることもあり得る。つまり、排出口２１が設けられる位置は、前面７１に限らない。また、例えば、搬送路３８は、上方や下方へ湾曲する部分を有していてもよい。
【００４６】
搬送路３９は、筐体１４の内部空間１６に配置された不図示のガイド部材、及び読取部３７によって区画された空間である。搬送路３９は、開口８４を通じて挿入された用紙１７（図４参照）が通過する経路である。搬送路３９は、開口８４から下方へ向かうにしたがって前方へ向かって（つまり排出口２１へ向かって）延びている。つまり、搬送路３９は、開口８４から前方斜め下方へ延びている。なお、搬送路３９は、開口８４から前方斜め下方以外の方向へ延びていてもよい。
【００４７】
搬送路３９の一端は、合流位置Ｐ２において搬送路３８と合流している。搬送路３９の他端は、開口８４と連通している。つまり、開口８４を通じて挿入された用紙１７は、搬送路３９を通過した後、搬送路３８を通過する。すなわち、搬送路３８は、給送部３３によって給送された用紙１５が通過する経路であると共に、開口８４を通じて挿入された用紙１７が通過する経路でもある。
【００４８】
搬送ローラ対３４は、搬送路３８に配置されている。搬送ローラ対３４は、搬送ローラ６１及びピンチローラ６２よりなる。ピンチローラ６２は、ばねなどの弾性部材（不図示）によって搬送ローラ６１に圧接されている。これにより、搬送ローラ対３４は、用紙１５、１７を挟持可能である。
【００４９】
排出ローラ対３５は、搬送路３８における搬送ローラ対３４よりも前方（用紙１５、１７の搬送方向の下流）に配置されている。排出ローラ対３５は、排出ローラ６４及び拍車６５よりなる。拍車６５は、ばねなどの弾性部材（不図示）によって排出ローラ６４に圧接されている。これにより、排出ローラ対３５は、用紙１５、１７を挟持可能である。
【００５０】
搬送ローラ６１及び排出ローラ６４は、搬送モータ（不図示）の駆動力が伝達されることによって駆動される。駆動力が伝達された搬送ローラ６１は、ピンチローラ６２との間に用紙１５、１７を挟持しつつ前方（搬送方向）へ搬送する。駆動力が伝達された排出ローラ６４は、拍車６５との間に用紙１５、１７を挟持しつつ前方（搬送方向）へ搬送する。
【００５１】
記録部３６は、内部空間１６に位置している。記録部３６は、搬送路３８における搬送ローラ対３４及び排出ローラ対３５の間に位置している。記録部３６は、収容部３１より前方に位置する。換言すると、記録部３６は、収容部３１に対して前方（上面７３に沿った方向）にオフセットした位置にある。記録部３６は、収容部３１及び傾斜壁３２より上方に位置する。
【００５２】
本実施形態において、記録部３６は、インクジェット方式によって、搬送路３８を搬送される用紙１５に画像を記録する。なお、記録部３６が用紙１５に画像を記録する方式は、インクジェット方式に限らず、電子写真方式などの他の方式であってもよい。
【００５３】
プラテン２７は、記録部３６の下方に記録部３６と対向して設けられている。プラテン２７は、搬送路３８を搬送される用紙１５、１７を支持する。
【００５４】
読取部３７は、内部空間１６の搬送路３９に位置している。読取部３７は、記録部３６より後方に位置している。読取部３７は、開口８４より前方に位置している。つまり、読取部３７は、前後方向８において、開口８４より排出口２１側であって開口８４と記録部３６の間に位置している。読取部３７は、収容部３１及び傾斜壁３２より上方に位置する。本実施形態において、読取部３７は、収容部３１の真上に位置する。読取部３７は、開口８４を通じて挿入されて搬送路３９に位置する用紙１７に記録された画像をイメージセンサによって読み取って画像データを取得する。
【００５５】
［実施形態の効果］
収容部３１と記録部３６が互いに水平方向（本実施形態では前後方向）にオフセットした位置に設けられているため、収容部３１の上に記録部３６が位置する構成に比べて複合機１０の高さを抑えることができる。
【００５６】
開閉壁８２を露出位置に移動させることによって、開口４０を通じて収容部３１に収容された用紙１５を出し入れすることができる。そのため、収容部３１の移動のための機構を複合機１０に設ける必要がないため、複合機１０の部品点数の増加を抑制することができる。
【００５７】
開閉壁８７を倒伏位置に移動させることによって、収容部３１からはみ出す大きなサイズの用紙１５への画像記録に複合機１０を対応させることができる。
【００５８】
開閉壁８２を露出位置に移動させて開口４０を通じて収容部３１に収容された用紙１５を出し入れするとき、開閉壁８７を倒伏位置に移動させることによって、連続した開口４０及び開口４２よりなる大きな開口を形成することができる。これにより、用紙１５を収容部３１に対して容易に出し入れすることができる。
【００５９】
収容部３１が筐体１４に固定されており、収容部３１が移動しないため、当該移動のための部品が不要である
【００６０】
開閉壁８２が露出位置のときに開口４０に加えて所定空間４１が露出されるため、収容部３１に収容された用紙１５の出し入れ時において収容部３１の視認性を向上させることができる。
【００６１】
所定空間４１が給送部３３よりも前方にまで拡がっている。そのため、開閉壁８２が露出位置のとき、用紙１５のうち給送部３３を通過した部分をも視認可能であり、当該部分へのユーザのアクセスが可能である。これにより、一部が給送部３３を通過した状態で詰まった用紙１５を取り出すことが容易である。
【００６２】
本実施形態のような傾斜壁３２と分離片９１を備えた構成では、用紙１５に対するバックテンション（用紙１５の搬送向きと逆向きのテンション）を生じさせることなく、用紙１５の分離を実行可能である。そのため、記録部３６によって画像を記録されている用紙１５の一部が傾斜壁３２に位置する場合であっても、当該用紙１５への画像記録が当該バックテンションの影響を受けることがない。
【００６３】
筐体１４の前後方向８の長さは、筐体１４の左右方向９の長さより短い。そのため、複合機１０の前後方向８のサイズの大型化を抑制できる。また、開閉壁８７を設けることによって収容部３１からはみ出す大きなサイズの用紙１５への画像記録に複合機１０を対応させる場合に、より大きなサイズの用紙１５に複合機１０を対応させ易い。
【００６４】
開閉壁８２は、筐体１４の右端から左端に亘っている。そのため、左右方向９の両側から開閉壁８２へアクセスして開閉壁８２を開閉することが容易である。また、開閉壁８２と筐体１４との一体感をアップさせることによって複合機１０の外観の審美性を高めることができる。
【００６５】
［変形例］
上記実施形態では、読取部３７は搬送路３９に位置しており、収容部３１の真上に位置していたが、読取部３７の位置はこのような位置に限らない。例えば、読取部３７は搬送路３８に位置していてもよい。この場合、読取部３７は、記録部３６より後方（合流位置Ｐ２と記録部３６の間）に位置していてもよいし、記録部３６より前方（記録部３６と排出口２１の間）に位置していてもよい。この場合、読取部３７は、収容部３１より前方に位置するため、収容部３１の真上に位置していない。
【００６６】
上記実施形態では、開閉壁８２は、回動によって被覆位置及び露出位置に移動していたが、回動以外によって被覆位置及び露出位置に移動してもよい。
【００６７】
例えば、図７に示されるように、開閉壁８２は、筐体１４に対して着脱可能であってもよい。この場合、開閉壁８２は、図７に破線で示されるように筐体１４に装着されたときに被覆位置であり、図７に実線で示されるように筐体１４から取り外されたときに露出位置である。
【００６８】
図７に示される構成では、開閉壁８２が筐体１４から取り外されるため、収容部３１に収容された用紙１５の出し入れが容易である。
【００６９】
また、例えば、図８に示されるように、開閉壁８２は、筐体１４によって前後にスライド可能に支持されていてもよい。この場合、開閉壁８２は、図８に破線で示される位置のときに被覆位置であり、図８に実線で示される位置（被覆位置から後方へスライドした位置）のときに露出位置である。なお、開閉壁８２のスライド方向は前後に限らず、例えば開閉壁８２は筐体１４によって左右、上下、斜め上方などにスライド可能に支持されていてもよい。
【００７０】
図８に示される構成では、開閉壁８２が上方へ移動しないため、複合機１０の高さを抑えることができる。
【００７１】
また、例えば、図９に示されるように、開閉壁８２は、連結部材９２を介して筐体１４の他の部分（図９では、筐体１４の側壁９３）と連結されていてもよい。
【００７２】
連結部材９２は、筐体１４の右上端部及び左上端部の各々に、前後に間隔を空けて２個ずつ設けられている。なお、連結部材９２の数は、前記に限らない。
【００７３】
連結部材９２の一端部は、側壁９３と連結されている。連結部材９２の他端部は、開閉壁８２と連結されている。連結部材９２は、側壁９３に対して左右方向９に延びた軸９４を中心に回動可能であり、開閉壁８２に対して左右方向９に延びた軸９５を中心に回動可能である。
【００７４】
開閉壁８２は、図９に破線で示される位置のときに被覆位置である。このとき、連結部材９２は、前後に延びている。連結部材９２が矢印９６の方向に回動することによって、開閉壁８２が筐体１４の他の部分に対して持ち上がり、図９に実線で示される露出位置となる。露出位置の開閉壁８２は、被覆位置の開閉壁８２に対して前方及び上方にオフセットされた位置にある。
【００７５】
なお、図９に示される構成では、連結部材９２が左右方向に延びた軸を中心に回動するように構成されているために、露出位置の開閉壁８２は、被覆位置の開閉壁８２に対して前方及び上方にオフセットされた位置にあったが、これに限らない。例えば、連結部材９２が前後方向に延びた軸を中心に回動するように構成されており、露出位置の開閉壁８２が、被覆位置の開閉壁８２に対して左右方向及び上方にオフセットされた位置にあってもよい。
【００７６】
図９に示された構成において、露出位置の開閉壁８２は、被覆位置の開閉壁８２に対して水平方向及び上方向の２方向にオフセットされた位置にある。そのため、露出位置の開閉壁８２が被覆位置の開閉壁８２に対して１方向（水平方向または上方向）のみにオフセットされた構成よりも、２方向それぞれへのオフセット量を少なくしつつ開口４０を大きく露出させることができる。
【００７７】
開閉壁８２と同様に、カバー８５も、回動以外によって閉位置及び開位置に移動してもよいし、開閉壁８７も、回動以外によって起立位置及び倒伏位置に移動してもよい。
【００７８】
上記実施形態では、図１に示されるように、筐体１４の上面７３は、筐体１４の上壁８１の上面と、筐体１４の開閉壁８２の上面とによって構成されていた。
【００７９】
しかし、筐体１４の上面７３は、開閉壁８２の上面のみによって構成されていてもよい。つまり、筐体１４は、上壁８１を備えていなくてもよい。すなわち、開閉壁８２は、筐体１４の上面７３の少なくとも一部を構成している。
【００８０】
所定空間４１に位置する部材の少なくとも一部を覆うカバーが設けられていてもよい。例えば、図１０に示されるように、給送部３３及び読取部３７を上方から覆うカバー９７が設けられていてもよい。カバー９７は、開閉壁８２が露出位置のときに、所定空間４１に位置する部材（図１０では給送部３３及び読取部３７）にユーザが直接触れることを防止可能な位置に設けられる。一方、カバー９７は、当該部材の機能の発揮を妨げる位置には設けられてない。例えば、給送ローラ２５の周面のうち下方を向く面は用紙１５と当接する必要があるため、カバー９７は当該下方を向く面を覆わない。
【００８１】
カバー９７が設けられることによって、所定空間４１に配置された部材にユーザが触れることを防止できる。
【００８２】
図１１に示されるように、複合機１０は、筐体１４によって回動可能に支持されたトレイ９８を備えていてもよい。トレイ９８は、開口８４の後方に位置している。トレイ９８は、その前端部に設けられた左右方向９に延びる軸９９を中心として、図１１に破線で示される第１位置と、図１１に実線で示される第２位置とに回動可能である。
【００８３】
トレイ９８が第１位置のとき、トレイ９８の上面９８１は、筐体１４の上面７３と面一である。トレイ９８が第２位置のとき、トレイ９８の上面９８１は、上面７３から上方へ向かうにしたがって後方へ向かって（つまり前後方向８において排出口２１から離れるように）延びている。トレイ９８が第２位置のとき、トレイ９８の上面９８１は、開口８４へ挿入される用紙１７を支持可能である。
【００８４】
なお、図１１では、開閉壁８２の軸８３は開閉壁８２の前端部に設けられているが、軸８３は図２などと同様に開閉壁８２の後端部に設けられていてもよい。また、図１１では、トレイ９８は開閉壁８２の代わりに設けられており、トレイ９８が開閉壁８２の機能（収容部３１を外部に露出させる機能）を有している。しかし、トレイ９８は、開閉壁８２に加えて設けられていてもよい。例えば、トレイ９８は、開閉壁８２によって回動可能に支持されていてもよい。
【００８５】
上記実施形態では、収容部３１は筐体１４に固定されていたが、収容部３１は筐体１４に固定されていなくてもよい。
【００８６】
上記実施形態では、給送部３３は、給送アーム２６と、給送アーム２６の先端に回転可能に支持された給送ローラ２５とを備えていた。そして、収容部３１に収容されている用紙１５は、傾斜壁３２に沿って給送され、分離片９１によって最上の用紙１５が他の用紙１５から分離されていた。しかし、用紙１５が給送される構成は、給送アーム２６、給送ローラ２５、傾斜壁３２、及び分離片９１を備えた構成に限らない。例えば、収容部３１の前端部（収容部３１と搬送路３８の境界部）の上端部に、給送ローラが設けられており、底面７７がバネなどによって上方に付勢されていてもよい。この場合、底面７７に支持された用紙１５のうち最上の用紙１５が下方から当該給送ローラに当接し、最上の用紙１５が給送ローラによって給送される。
【００８７】
上記実施形態では、画像記録装置の一例として、プリンタ及びスキャナの機能を有する複合機１０が説明された。しかし、画像記録装置は、複合機１０に限らない。例えば、画像記録装置は、スキャナの機能を有していないプリンタであってもよい。この場合、図１２に示されるように、プリンタ１００は、カバー８５、読取部３７、及び搬送路３９を有していない。
【符号の説明】
【００８８】
１０・・・複合機（画像記録装置）
１４・・・筐体
１５・・・用紙（シート）
２１・・・排出口
３１・・・収容部
３６・・・記録部
３８・・・搬送路
４０・・・開口（第１開口）
７１・・・前面（外面）
８２・・・開閉壁
８９・・・収容空間
【図１】
2020189734.tif 000003
【図２】
2020189734.tif 000004
【図３】
2020189734.tif 000005
【図４】
2020189734.tif 000006
【図５】
2020189734.tif 000007
【図６】
2020189734.tif 000008
【図７】
2020189734.tif 000009
【図８】
2020189734.tif 000010
【図９】
2020189734.tif 000011
【図１０】
2020189734.tif 000012
【図１１】
2020189734.tif 000013
【図１２】
2020189734.tif 000014